(57)【特許請求の範囲】
【請求項１】
複数の放電灯を高周波点灯させる高周波点灯回路と、各放電灯の寿命末期を検出する検出手段と、前記検出手段の出力を受けて前記高周波点灯回路の出力を抑制する制御手段とを備える放電灯点灯装置であって、
前記検出手段は、寿命末期検出時に、第１の電圧とこの第１の電圧とは異なる第２の電圧とが商用電源を全波整流した脈流電圧の周波数で交番する矩形波電圧信号を前記制御手段に出力し、
前記制御手段は、前記検出手段から出力される矩形波電圧信号の第１の電圧を受けて前記高周波点灯回路の出力をゼロでない第１の出力に制御すると共に、第２の電圧を受けて前記高周波点灯回路の出力をゼロでない第２の出力に制御することを特徴とする放電灯点灯装置。
【請求項２】
前記検出手段から出力される矩形波電圧信号をコンデンサにより平滑化することで、第１の電圧から第２の電圧への変化と第２の電圧から第１の電圧への変化を連続的にして前記制御手段に伝達することを特徴とする請求項１記載の放電灯点灯装置。
【請求項３】
前記高周波点灯回路は商用電源を整流平滑して直流電源に変換するチョッパー回路の出力電圧を電源入力とし、前記制御手段は、前記チョッパー回路の出力電圧を第１の電圧と第２の電圧に応じて切り替える手段であることを特徴とする請求項１又は２記載の放電灯点灯装置。
【発明の詳細な説明】
【０００１】
【発明の属する技術分野】
本発明は放電灯を高周波で点灯させる放電灯点灯装置に関するものである。
【０００２】
【従来の技術】
放電灯点灯装置については、放電灯の寿命末期時に点灯装置の出力を抑制あるいは停止するなどして、点灯装置の保護が図られている。これは、放電灯のフィラメントに塗布してあるエミッタ（熱電子放射物質）が飛散し、寿命末期となると、その放電灯が半波放電状態となり、点灯装置を構成する回路内のスイッチング部品に異常電流が流れたり、異常発熱を生じたり、放電灯点灯装置の破損を招く恐れがあるためである。しかしながら、出力を停止した場合、照明器具としての性能を十分に満足できないという問題があり、出力を抑制することにより、正常ランプは点灯を維持させつつ、寿命末期ランプを立ち消えさせる点灯装置がある。このような点灯装置について以下に説明する。
【０００３】
図１３にそのブロック図を示す。また、インバータの負荷回路としてＬＣ共振回路を備える放電灯点灯装置におけるインバータの発振周波数と放電灯の両端印加電圧との関係を図１４に示す。ＬＣ共振回路は、図１５の等価回路に示すように、放電灯ｌｎに並列接続されたコンデンサＣ9nと放電灯ｌｎに直列接続されたインダクタＬｎで構成され、直流カット用のコンデンサＣｏ（≫Ｃｎ）はＬＣ共振には殆ど関与しない。図１４の発振周波数ｆ0 はＬＣ共振回路の固有振動周波数、ｆ1 は正常な放電灯の特性を満足する周波数、ｆ2 は寿命となった放電灯が立ち消えする周波数、ｆ3 ’は寿命となった放電灯が再点灯する周波数、ｆ3 は寿命となった放電灯がちらつきなく点灯維持できる周波数、ｆ4 は正常な放電灯が立ち消えする周波数、ｆ5 は正常な放電灯の始動電圧を得るための周波数であり、Ｖ1 〜Ｖ5 、Ｖ3 ’は前記それぞれの周波数ｆ1 〜ｆ5 、ｆ3 ’に対する放電灯の両端印加電圧を示す。
【０００４】
以下に従来例の動作を説明する。通常は、ｆ5 を通過した後、ｆ1 の周波数にてインバータ動作することにより、正常点灯している。ここで、放電灯が寿命となったとき、図１３のランプ寿命検出手段４にて検出し、出力調整手段５に信号が伝達される。その信号を受けると、インバータ３の動作周波数ｆをｆ2 ＜ｆ＜ｆ4 にて動作するよう制御し、一定時間経過後、ｆ3 ’＜ｆ＜ｆ3 なる周波数で動作させることにより、寿命ランプを消灯させ、正常ランプを点灯させることができ、ランプの異常を明確に表示し、光出力の低下やちらつきを生じることなく点灯維持できる。
【０００５】
この従来例の具体的な回路構成を図１６に示す。インバータ３は商用電源１を整流器ＤＢと平滑コンデンサＣ2 にて整流平滑し、スイッチング素子Ｑ2 ，Ｑ3 を交互にオン・オフさせることにより高周波電流を出力している。スイッチング素子Ｑ2 ，Ｑ3 は出力調整手段としての制御回路部５にて制御されている。また、制御回路部５には、コンパレータＣＰ1 より成るランプ寿命検出部４からの信号Ｃが入力される。ランプ寿命検出部４は、各放電灯ｌ1 ，…，ｌｎの両端に接続され、放電灯ｌ1 ，…，ｌｎが寿命となったことを検出する個別異常検出部Ｋ1 ，…，Ｋｎと、それぞれの個別異常検出部Ｋ1 ，…，Ｋｎの出力Ｖｋ1 ，…，Ｖｋｎを基準電圧Ｖｏと比較して放電灯ｌ1 ，…，ｌｎに異常があることを判別するコンパレータＣＰ1 を設け、これら個別異常検出部Ｋ1 ，…，ＫｎとコンパレータＣＰ1 とで構成されている。ここで、個別異常検出部Ｋ1 ，…，Ｋｎの出力Ｖｋ1 ，…，ＶｋｎはダイオードＤ11，…，Ｄ1nでオア構成して、コンパレータＣＰ1 に入力してある。また、コンパレータＣＰ1 の基準電圧Ｖｏは放電灯ｌが正常か否かを判断するレベルに設定してある。制御回路部５は、ＰＷＭ制御ＩＣ６（例えば、μＰＣ４９４、ＮＥＣ製など）、タイマーＩＣ７、アンドゲートＡ1 、Ａ2 、反転ゲートＩ1 、Ｉ2 、トランジスタＱ11〜Ｑ13で構成している。ここで、タイマーＩＣ７は交流電源１が投入されて制御電源Ｖｃｃが立ち上がった時点から、抵抗Ｒ71、コンデンサＣ72で決まる期間Ｔａの間、”Ｈｉｇｈ”レベルとなる信号Ａを作成する（図１７（ａ））、コンパレータＣＰ1 は個別異常検出部Ｋ1 ，…，Ｋｎの出力Ｖｋ1 ，…，Ｖｋｎが基準電圧Ｖｏ以上に上昇したとき、出力が”Ｈｉｇｈ”レベルとなる（図１７（ｃ））。このコンパレータＣＰ1 の出力を信号Ｃとしている。
【０００６】
そして、これら信号Ａ，Ｃを用いて信号Ｄ，Ｅを作成している。ここで、信号Ｄは図１７（ｄ）に示すように、信号Ａが立ち下がった時点から信号Ｃが立ち上がる時点まで”Ｈｉｇｈ”レベルとなる信号で、信号Ｅは図１７（ｅ）に示すように信号Ａの立ち下がり後、信号Ｃが”Ｈｉｇｈ”レベルである期間”Ｈｉｇｈ”レベルとなる信号である。そして、トランジスタＱ11〜Ｑ13はそれぞれの信号Ａ，Ｄ〜Ｅでオンし、コンデンサＣｄの両端に抵抗Ｒ51〜Ｒ53を接続することにより、インバータ３の発振周波数を可変するようにしている。トランジスタＱ11がオンで、放電灯ｌ1 ，…，ｌｎの先行予熱を行う周波数となり、トランジスタＱ12がオンで放電灯ｌ1 ，…，ｌｎの正規の特性を得る点灯周波数、トランジスタＱ13がオンで放電灯ｌ1 ，…，ｌｎの中で寿命となったものが立ち消えする周波数（図１４でｆ2 ＜ｆ＜ｆ4 ）となる。
【０００７】
放電灯ｌ1 ，…，ｌｎがすべて正常ならば、先行予熱の後、正常点灯を維持する。ここで、放電灯ｌ1 ，…，ｌｎのいずれかが寿命となると、その放電灯ｌｉ（ｉ＝１，…，ｎ）の両端電圧が上昇するため、個別異常検出部Ｋｉの出力Ｖｋｉも上昇し、コンパレータＣＰ1 の基準電圧Ｖｏを越え、信号Ｃが”Ｈｉｇｈ”レベルとなり、周波数はｆ2 ＜ｆ＜ｆ4 にて動作する。
【０００８】
しかしながら、上述の従来例では次のような欠点がある。寿命末期ランプのフィラメント損失の低減あるいはフィラメント近傍の管壁温度の抑制のため、点灯装置の出力を下げると、ランプ両端電圧も下がるため、個別異常検出部の出力Ｖｋも低くなる。そのため、コンパレータＣＰ1 の基準電圧Ｖｏより下回って寿命末期時の動作を保持できなくなる。したがって、寿命末期時の点灯装置の出力の低下の度合いは、寿命末期検出信号の保持できるレベルに合わせる必要があるという問題があった。
【０００９】
これを解決する手段として、図１６のコンパレータＣＰ1 の出力に図１８のような回路を付加することができる。これは信号Ｃを信号Ｃ’に変換するものである。通常時においてコンパレータＣＰ1 の出力信号Ｃは”Ｌｏｗ”レベルであり、このとき、反転ゲートＩ３の出力信号Ｆは”Ｈｉｇｈ”レベルである。したがって、トランジスタＱ7 はオフ、トランジスタＱ6 もオフであり、信号Ｃ’は”Ｌｏｗ”レベルである。ここで、コンパレータＣＰ1 の出力信号Ｃが”Ｈｉｇｈ”レベルになると、反転ゲートＩ3 の出力信号Ｆが”Ｌｏｗ”レベルとなり、トランジスタＱ7 がオン、トランジスタＱ6 もオンとなり、信号Ｃ’は”Ｈｉｇｈ”レベルとなる。この信号Ｃ’を受けて、インバータ出力を低下させ、コンパレータＣＰ1 の出力信号Ｃが”Ｌｏｗ”レベルとなっても、トランジスタＱ6 がオンしているため、信号Ｆは”Ｌｏｗ”レベルのままで、信号Ｃ’も”Ｈｉｇｈ”レベルを保持し続ける。この動作を図１９に示す。つまり、ランプ寿命末期時にインバータ出力を低下させ、個別異常検出部の出力ＶｋがコンパレータＣＰ1 の基準電圧Ｖｏより低くなってランプ寿命検出部４の出力信号Ｃが反転しても、インバータ動作は、寿命末期時の動作を維持する。すなわち、トランジスタＱ6 によりラッチ機能が付加されているものである。なお、トランジスタＱ8 は寿命末期とランプ点灯開始時の区別をするために設けている。
【００１０】
しかし、この図１８のような回路を付加した場合、寿命末期にランプを外したときも、インバータ出力は低下したままであり、通常動作に復帰させるには、電源リセットを必要としたり、別にランプ脱着検出等の回路を設ける必要があるなどの不都合があるため、インバータ出力を低下させても異常検出部の信号が反転せず、ランプの異常を監視しながら出力信号にて異常を示し続けるといった手段が望まれていた。
【００１１】
【発明が解決しようとする課題】
本発明は上述のような点に鑑みてなされたものであり、その目的とするところは、ランプの寿命末期に点灯装置がランプ寿命末期時の動作をしても、そのランプ寿命検出手段の出力信号は異常を出力し続けるようにした放電灯点灯装置を提供し、これにより、ランプ寿命末期に点灯装置が出力をより低下させて、フィラメント損失の低減、フィラメント近傍の管壁温度抑制を可能とすることにある。
【００１２】
【課題を解決するための手段】
本発明によれば、上記の課題を解決するために、複数の放電灯を高周波点灯させる高周波点灯回路と、各放電灯の寿命末期を検出する検出手段と、前記検出手段の出力を受けて前記高周波点灯回路の出力を抑制する制御手段とを備える放電灯点灯装置であって、前記検出手段は、寿命末期検出時に、第１の電圧とこの第１の電圧とは異なる第２の電圧とが商用電源を全波整流した脈流電圧の周波数で交番する矩形波電圧信号を前記制御手段に出力し、前記制御手段は、前記検出手段から出力される矩形波電圧信号の第１の電圧を受けて前記高周波点灯回路の出力をゼロでない第１の出力に制御すると共に、第２の電圧を受けて前記高周波点灯回路の出力をゼロでない第２の出力に制御することを特徴とするものである。すなわち、図１６の回路では、インバータの出力を低下させたときに、その出力低下に応じて個別異常検出部の出力Ｖｋの電圧が低くなり、インバータの出力の低下限度が決められてしまうので、本発明では、ランプ寿命末期にインバータの出力を低下させる際に、図１０のようにゼロでない第１の出力とゼロでない第２の出力とが商用電源を全波整流した脈流電圧の周波数で交番するようなパルス状にするものである。これにより、個別異常検出部の出力Ｖｋは図１０のようになり、基準電圧Ｖｏ以上を保持することができる。そして、図１０において、個別異常検出部の出力Ｖｋの期間ｔ2 における低下は、パルスの周期（ｔ1 ＋ｔ2 ）、デューティｔ1 ／（ｔ1 ＋ｔ2 ）と異常検出部Ｋ1 ，…，ＫｎのコンデンサＣｋ1 ，…，Ｃｋｎの値によって定めることができる。
【００１３】
【発明の実施の形態】
図１に本発明の第１の実施例の回路図を示す。この回路では、商用電源１を受けて直流電源に変換する整流回路２と、その後段に直流電源を高周波電源に変換する高周波点灯回路３が接続されている。そして、高周波点灯回路３の後段に、直流カット用コンデンサＣ0n、限流用インダクタＬｎ、放電灯ｌｎ、予熱用コンデンサＣ9nからなる負荷が複数接続されており、個々のランプ電圧により、ランプ寿命末期を検出するランプ寿命検出部４を有している。インダクタＬｎとコンデンサＣ9nは、直列共振回路を形成している。
【００１４】
図２に整流回路２の具体的な構成を示す。整流器ＤＢは商用電源１を全波整流しており、インダクタＬ10、スイッチング素子Ｑ1 、ダイオードＤ1 、平滑コンデンサＣ2 によって昇圧チョッパー回路を構成している。スイッチング素子Ｑ1 は力率改善用のＩＣ１（例えば、ＭＣ３３２６２、モトローラ社）により制御されている。抵抗Ｒ6 ，Ｒ7 とコンデンサＣ4 により全波整流波形をモニターしており、インダクタＬ10の２次巻線に接続された抵抗Ｒ5 によってゼロ電流を検出し、スイッチング素子Ｑ1 のオンのタイミングを決定している。また、抵抗Ｒ3 ，Ｒ4 で出力電圧をモニターし、出力が一定電圧となるよう、スイッチング素子Ｑ1 を制御している。スイッチング素子Ｑ1 に流れる電流は抵抗Ｒ2 により検出している。以上の構成により、入力された商用電源１をこの整流回路２で直流電圧に変換している。また、抵抗Ｒ1 とツェナダイオードＺＤ1 、コンデンサＣ5 により制御部の電源電圧Ｖｃｃを得ている。
【００１５】
次に、高周波点灯回路３の具体的な構成を図３に示す。高周波点灯回路の入力端には、２個のスイッチング素子Ｑ2 ，Ｑ3 が直列に接続されてハーフブリッジ構成となっており、これらが交互にオン、オフを繰り返して、負荷に接続されるランプを高周波点灯させるものである。図３のＩＣ２は、ハーフブリッジインバータ用のドライバーＩＣ（例えば、ＩＲ社製のＩＲ２１１１）であり、制御部９より１つの入力信号Ｓ2 を受けて、スイッチング素子Ｑ2 ，Ｑ3 を交互にオン・オフするように制御するものである。
【００１６】
次に、ランプ寿命検出部４の具体的な構成を図４に示す。この構成では、ランプｌ1 ，…，ｌｎの両端電圧を抵抗Ｒ51，Ｒ61，…，Ｒ5N，Ｒ6nで分圧し、その電圧がダイオードＤ61，…，Ｄ6nを介してコンデンサＣ8 に充電されて、信号Ｓ4 が得られる。ここで、ランプが寿命末期となると、そのランプの両端電圧が上昇するため、信号Ｓ4 は図６の実線のようになり、破線で示した基準電圧を越える。このとき、ダイオードＤ61〜Ｄ6nがオア回路の構成でコンデンサＣ8 に接続されているため、ランプｌ1 ，…，ｌｎのうち、どれが寿命末期になっても、あるいは複数のランプが同時に寿命末期となっても、信号Ｓ4 は図６の実線のようになる。
【００１７】
ランプ寿命検出部４の出力信号Ｓ4 は、図５に示すパルス発生回路のコンパレータＩＣ５の＋側に入力されている。コンパレータＩＣ５の−側には、制御部の電源電圧Ｖｃｃを抵抗Ｒ9 ，Ｒ10にて分圧した電圧値が入力されている。このコンパレータＩＣ５の出力Ｓ5 は、ランプ寿命末期に図６のように”Ｌｏｗ”レベルから”Ｈｉｇｈ”レベルに立ち上がる。一方、コンパレータＩＣ４の−側入力端子は、抵抗Ｒ15を介して制御部の電源電圧Ｖｃｃと接続されており、また、抵抗Ｒ13，Ｒ14を介してグランドと接続されており、コンパレータＩＣ５の出力信号Ｓ5 は抵抗Ｒ13，Ｒ14と接続されているため、コンパレータＩＣ５の出力信号Ｓ5 が”Ｌｏｗ”レベルから”Ｈｉｇｈ”レベルに立ち上がると、コンパレータＩＣ４の−側入力端子は、図６のように変化する。また、コンパレータＩＣ４の＋側入力端子は整流器ＤＢの出力端の電圧ＶDBを抵抗Ｒ11，Ｒ12で分圧した電位であり、図６のように変化する。つまり、ランプ寿命検出部４の出力信号Ｓ4 の電位が上昇すると、コンパレータＩＣ４の出力信号Ｓ3 は、図６のように、パルス波形の出力を開始する。
【００１８】
次に、図３における制御部９の具体的な回路構成を図７に示し、その動作について説明する。図中、ＩＣ３は汎用の制御用ＩＣ（例えば、ＮＥＣ製のμＰＣ４９４など）である。これは、外付けのコンデンサの接続端子Ｃｔと外付けの抵抗の接続端子Ｒｔを有しており、これらの時定数により出力信号Ｓ1 の周波数を決定している。コンデンサの接続端子Ｃｔに接続されたコンデンサＣ30は固定であるので、外付け抵抗の接続端子Ｒｔに接続された抵抗値により発振周波数が決定される。具体的には、この外付け抵抗の接続端子Ｒｔからの出力電流が大きいと、発振周波数は高くなる。ｔｘは動作開始後の一定期間のみ”Ｈｉｇｈ”レベルとなるタイマー信号であり、例えば、図８のようなタイマー回路で作り出される。電源投入後、制御部の電源電圧Ｖｃｃが立ち上がると、はじめはコンデンサＣ20の電圧が低いので、コンパレータＣＰ2 の出力は”Ｈｉｇｈ”レベルであり、その後、抵抗Ｒ20を介してコンデンサＣ20が充電され、一定時間後に、抵抗Ｒ21，Ｒ22で分圧された基準電圧を越えると、コンパレータＣＰ2 の出力は”Ｌｏｗ”レベルとなる。
【００１９】
図７に示す制御部において、電源投入後、タイマー信号ｔｘが”Ｈｉｇｈ”レベルのときは、トランジスタＱ36、Ｑ35がオンとなり、コンデンサＣ32が充電される。このとき、タイマー信号ｔｘによりトランジスタＱ34がオンのため、トランジスタＱ32，Ｑ33はオフであり、また、タイマー信号ｔｘによりトランジスタＱ31がオンのため、発振用のＩＣ３における外付け抵抗の接続端子Ｒｔからの出力電流は、抵抗Ｒ33，Ｒ34で決定される。タイマー信号ｔｘが”Ｌｏｗ”レベルとなると、トランジスタＱ31はオフとなるので、抵抗Ｒ33は切り離される。また、トランジスタＱ34、Ｑ35、Ｑ36はオフとなり、コンデンサＣ32は抵抗Ｒ37を介して放電を始めるため、発振用のＩＣ３における外付け抵抗の接続端子Ｒｔからの電流は、抵抗Ｒ34とトランジスタＱ32の抵抗で決定される。トランジスタＱ32の抵抗は、コンデンサＣ32と抵抗Ｒ37の時定数で変化して行き、徐々に高くなるので、発振周波数は図９のように徐々に低下して行く。そして、通常点灯状態となる。
【００２０】
また、抵抗Ｒ44、Ｒ49等の回路は調光部であり、通常点灯時において、調光信号Ｓ2 に”Ｈｉｇｈ”レベルを入力すると、発振周波数は通常点灯用の抵抗Ｒ34と、調光用の抵抗Ｒ44及びＲ49にて決定される。つまり、通常点灯時に比べて発振周波数が高くなり、インバータの出力は小さくなり、調光点灯状態となる。
次に、ランプが寿命末期となると、図６に示すように、信号Ｓ5 に”Ｈｉｇｈ”レベル、信号Ｓ3 にパルスが発生するため、調光信号Ｓ2 にかかわらず、減光用のトランジスタＱ38はオンとなる。また、信号Ｓ3 がパルス信号のため、トランジスタＱ37はオン、オフを繰り返す。トランジスタＱ37がオフのときには、発振周波数は通常点灯用の抵抗Ｒ34、調光用の抵抗Ｒ44とＲ49で決定されるため、調光時周波数と同じであり、トランジスタＱ37がオンのときには、抵抗Ｒ34とＲ44で発振周波数が決定され、この周波数は、調光時周波数よりも高くなる。したがって、時間経過と発振周波数の関係は図９のようになる。これは、調光信号Ｓ2 が”Ｌｏｗ”レベルの場合であり、調光信号Ｓ2 が”Ｈｉｇｈ”レベルとなると、通常時の周波数は調光時周波数となる。
【００２１】
図９から明らかなように、ランプ寿命末期となると、図１の高周波点灯回路３の出力はパルス状となる。パルス状出力の一方の出力状態での周波数は調光時周波数であり、正常ランプが点灯維持できる周波数である。また、もう一方の出力状態での周波数は、それ以上の高い周波数であるから、各ランプｌ1 ，…，ｌｎの寿命検出を行うダイオードＤ61，…，Ｄ6nのアノード電圧は矩形波（図６の信号Ｓ1n参照）となっており、それぞれのオアをとって、コンデンサＣ8 にて平滑しているため、ランプ寿命検出部４から出力される信号Ｓ4 は、図６の実線に示すようになり、破線で示した基準電圧を下回ることはない。したがって、ランプ寿命末期に点灯装置からの出力を低下させても、検出信号Ｓ5 は”Ｈｉｇｈ”レベルを保持し続けることが可能となる。また、図７において、トランジスタＱ37のベース・エミッタ間にコンデンサＣ33を並列的に接続することにより、周波数の変化を連続的にすることもできる。
【００２２】
以下に好ましい設計例を示すと、例えば、放電灯ｌ1 ，…，ｌｎが２０Ｗ直管の蛍光灯である場合に、ランプ寿命検出部４の各定数は、図４において、コンデンサＣ51〜Ｃ5nは４７０ｐＦ、抵抗Ｒ51〜Ｒ5nは２００ＫΩ、抵抗Ｒ61〜Ｒ6nは５ＫΩとする。また、抵抗Ｒ8 は４７０ＫΩ、コンデンサＣ8 は１μＦとする。整流回路（図２）の出力電圧は１８０Ｖ、高周波点灯回路（図３）の動作周波数は、図９の縦軸に示すような周波数になるように、図７の回路を設計し、図１のコンデンサＣ0n、インダクタＬｎ、コンデンサＣ9nをそれぞれ０．２２μＦ、６５０μＨ、８２００ｐＦとして、図１０に示すランプ両端電圧Ｖ1 ，Ｖ2 の高／低の各出力期間をｔ1 ≒ｔ2 とすることにより、安定な動作を得ることができる。図１０において、Ｖｋは個別異常検出部の出力、Ｖｏは基準電圧である。
【００２３】
次に、本発明の第２の実施例について説明する。上述の第１の実施例と異なるのは、制御部の構成を図７から図１１のように変更する点と、図２の破線で囲んだ電圧検出部を図１２のように変更する点である。図１１に示す制御部では、図７に示した制御部と比べると、発振用のＩＣ３の外付け抵抗の接続端子Ｒｔから抵抗Ｒ44、Ｒ49等の調光部の回路が無い。したがって、電源投入時から正常点灯までの制御は第１の実施例と同様であり、ランプ寿命末期には動作周波数を変化させない。
【００２４】
次に、図１２の回路について説明する。この回路は、図２の破線で囲んだ電圧検出部の抵抗Ｒ4 と直列に抵抗Ｒ17を挿入し、この抵抗Ｒ17をトランジスタＱ4 により短絡したり開放したりすることにより、チョッパー制御用のＩＣ１によるモニター電圧を切り替えるものである。すなわち、チョッパー制御用のＩＣ１には、トランジスタＱ4 がオンのときは抵抗Ｒ3 ，Ｒ4 で分圧された電圧が入力され、トランジスタＱ4 がオフのときには抵抗Ｒ3 、Ｒ4 、Ｒ17で分圧された電圧が入力される。したがって、トランジスタＱ4 がオフのときに、チョッパー制御用のＩＣ１に入力される電位は高くなるため、チョッパー部（整流回路）の出力電圧が低くなる。いま、ランプが寿命末期となると、図１２の信号Ｓ3 にパルス信号が入力されるため、トランジスタＱ5 がオン・オフされて、それに伴って、トランジスタＱ4 がオフ・オンされる。したがって、ランプ寿命末期には、整流回路２の出力電圧が周期的に低くなり、その結果、図１の高周波点灯回路３の出力はパルス状となり、各ランプの寿命検出信号であるダイオードＤ61，…，Ｄ6nのアノード電圧は矩形波（図６の信号Ｓ1n参照）となっており、それぞれのオアをとって、コンデンサＣ8 にて平滑しているため、ランプ寿命検出部４から出力される信号Ｓ4 は図６の実線のようになり、破線で示した基準電圧を下回ることはなく、図６の信号Ｓ5 のように、”Ｈｉｇｈ”レベルを保持し続けることができる。そのため、出力を低下させた動作を継続することができる。
【００２５】
【発明の効果】
本発明は、複数の放電灯を点灯させる放電灯点灯装置において、いずれかのランプが寿命末期となった際に、点灯装置の出力をゼロでない第１の出力とゼロでない第２の出力とが商用電源を全波整流した脈流電圧の周波数で交番するようなパルス状にすることにより、ランプ寿命検出手段の異常を示す信号を保持することが容易になる。したがって、より出力を低下させて、フィラメント損失の低減、フィラメント近傍の管壁温度の抑制を図ることができる。
【図面の簡単な説明】
【図１】本発明の第１の実施例の全体構成を示す回路図である。
【図２】本発明の第１の実施例の整流回路の回路図である。
【図３】本発明の第１の実施例の高周波点灯回路の回路図である。
【図４】本発明の第１の実施例のランプ寿命検出部の回路図である。
【図５】本発明の第１の実施例のパルス発生回路の回路図である。
【図６】本発明の第１の実施例の動作波形図である。
【図７】本発明の第１の実施例の制御部の回路図である。
【図８】本発明の第１の実施例のタイマー回路の回路図である。
【図９】本発明の第１の実施例の周波数の時間変化を示す説明図である。
【図１０】本発明の第１の実施例の動作説明図である。
【図１１】本発明の第２の実施例の制御部の回路図である。
【図１２】本発明の第２の実施例のパルス発生手段の回路図である。
【図１３】従来の放電灯点灯装置の回路図である。
【図１４】従来の放電灯点灯装置の共振特性を示す説明図である。
【図１５】従来の放電灯点灯装置の負荷回路の等価回路図である。
【図１６】従来の放電灯点灯装置の具体的な構成を示す回路図である。
【図１７】従来の放電灯点灯装置の動作説明図である。
【図１８】従来の放電灯点灯装置に付加されるラッチ回路の回路図である。
【図１９】従来の放電灯点灯装置に付加されるラッチ回路の動作説明図である。
【符号の説明】
１    交流電源
２    整流回路
３    高周波点灯回路
４    ランプ寿命検出部
【図１】
0003840724.tif 000002
【図２】
0003840724.tif 000003
【図３】
0003840724.tif 000004
【図４】
0003840724.tif 000005
【図５】
0003840724.tif 000006
【図６】
0003840724.tif 000007
【図７】
0003840724.tif 000008
【図８】
0003840724.tif 000009
【図９】
0003840724.tif 000010
【図１０】
0003840724.tif 000011
【図１１】
0003840724.tif 000012
【図１２】
0003840724.tif 000013
【図１３】
0003840724.tif 000014
【図１４】
0003840724.tif 000015
【図１５】
0003840724.tif 000016
【図１６】
0003840724.tif 000017
【図１７】
0003840724.tif 000018
【図１８】
0003840724.tif 000019
【図１９】
0003840724.tif 000020